Podtech/llm-jp-corpus-v4-ja_patent huggingface dataset:
(57)【要約】【課題】本発明は、施工が簡単で、接続数あたりの占有体積を小さくし、増設を想定したキャビネット内の予備スペースを確保する必要のない光配線器具を提供することを目的としている。【解決手段】本発明に係る光配線器具の構造は、アダプタ１、トレイ２、収納スペース３、ケーブルクランプ４、コードクランプ、テンションメンバ押え等、光配線に必要な器具をひとつのカセット５に装着し、カセット５を複数個、フレーム６に収納しフレーム６をキャビネットに取り付けることを特徴とする。【選択図】図１
2006227134.tif 000002
【特許請求の範囲】
【請求項１】
キャビネット等に収納され、光ケーブル等の配線や接続や収納を行うための光配線器具であって、アダプタ、トレイ、収納スペース、ケーブルクランプ、コードクランプ、テンションメンバ押え等、光配線に必要な器具をひとつのカセットに装着し、該カセットを複数個、フレームに収納し該フレームを前記キャビネットに取り付けることを特徴とする光配線器具。
【請求項２】
前記光配線器具であって、前記カセットは、前記フレームの底面に対して垂直に収納して用いることを特徴とする請求項１に記載の光配線器具。
【発明の詳細な説明】
【技術分野】
【０００１】
本発明は、キャビネット等に収納され、光ケーブル等の配線や接続や収納を行うための光配線器具に関するものである。
【背景技術】
【０００２】
従来は、アダプタ、トレイ、収納スペース、ケーブルクランプ、コードクランプ、テンションメンバ押えをひとつのユニットに一体に設けた形で、キャビネットに取り付けていた。
【特許文献１】特開２００１−１７４６６３号公報
【発明の開示】
【発明が解決しようとする課題】
【０００３】
しかしながら、上記従来技術によれば、ファイバ接続数あたりの占有面積が大きくなり、設置後に増設が予測される場合には、予め、キャビネットに取り付けスペースを確保しておく必要があった。そのため、キャビネットが大きくなり、製造コストを引きあげてしまったり、設置場所が限定されてしまうという欠点があった。
【課題を解決するための手段】
【０００４】
そこで本発明は、施工が簡単で、接続数あたりの占有体積を小さくし、増設を想定したキャビネット内の予備スペースを確保する必要のない光配線器具を提供することを目的とし、その構造は、アダプタ、トレイ、収納スペース、ケーブルクランプ、コードクランプ、テンションメンバ押え等、光配線に必要な器具をひとつのカセットに装着し、カセットを複数個、フレームに収納しフレームをキャビネットに取り付けることを特徴とする。
【０００５】
また、カセットは、前記フレームの底面に対して垂直に収納して用いることを特徴とする。
【発明の効果】
【０００６】
本発明に係る光配線器具は、アダプタ、トレイ、収納スペース、ケーブルクランプ、コードクランプ、テンションメンバ押え等、光配線に必要な器具をひとつのカセットに装着し、カセットを複数個、フレームに収納し該フレームをキャビネットに取り付けるため、カセット毎に独立して施工が行え作業性が向上している。また、ネットワークの増減に応じてカセット数を選定でき、省スペースで多芯に対応可能である。接続数あたりの占有体積を小さくし、増設を想定したキャビネット内の予備スペースを確保する必要がない。また、カセット式であるため、キャビネットに収めるだけでなく、通信用の盤にそのまま取り付けることも出来る。
【０００７】
また、カセットは、フレームの底面に対して垂直に収納して用いるカセット毎に独立して施工が行え作業性が向上している。また、ネットワークの増減に応じてカセット数を選定でき、省スペースで多芯に対応可能である。接続数あたりの占有体積を小さくし、増設を想定したキャビネット内の予備スペースを確保する必要がない。また、カセット式であるため、キャビネットに収めるだけでなく、通信用の盤にそのまま取り付けることも出来る。
【発明を実施するための最良の形態】
【０００８】
施工が簡単で省スペースになる光配線器具を提供するという目的を、部品点数を抑え、接続数あたりの占有体積を小さくして、増設も簡単に行えるようにした。
【実施例１】
【０００９】
本発明に係る光配線器具の実施例を図１〜図２の添付図面に基づいて説明する。
【００１０】
光通信のための機器をキャビネットに収納するための光配線器具であって、光ファイバ等を接続するのに用いるアダプタ１、トレイ２、収納スペース３、ケーブルクランプ４、コードクランプ、テンションメンバ押えをひとつのカセット５に収納する。カセット５をフレーム６に収めて、フレーム６をキャビネットに取り付ける。カセット５をひとつの単位として接続するネットワークの量に合わせてフレーム６に収めるカセット５を増減させる。
【００１１】
アダプタ１はカセット５の前面に設けキャビネットの前面側でネットワークに接続できるようにして作業性を向上させる。カセット５の内部にトレイ２やケーブルの余長の収納スペース３、ケーブルやコードを支持するクランプ４等、光配線に必要な器具一式を設けている。接続数に合わせてフレーム６に取り付けるカセット５の数を増減させる。
【実施例２】
【００１２】
カセットの形状は薄型でフレームの底面に対して垂直に立てて取り付ける。接続数に合わせてフレームに取り付けるカセットの数を増減させる。ひとつのフレームに複数のカセットが取り付け可能である。従来、ユニットを増設するためには、ユニットを取り付けるスペースを予め用意しておかなくてはいけなかったが、薄型のカセット式であるため簡単に増設することができる。また、余分なスペースをとっておく必要もなく、省スペースである。
【実施例３】
【００１３】
本発明に係る光配線器具のカセットには、光配線に必要な器具を一式常に装備する必要はなく、例えば、アダプタを設けたパッチパネルであるとか、多条のケーブルを支持するケーブルクランプであるとか、一部の器具のみを装備したカセットをフレームに取り付けても良い。
【実施例４】
【００１４】
さらには、光配線に必要な器具一式を装備したカセットと、一部の器具のみを装備したカセットを組み合わせてフレームに取り付け用いても良い。
【産業上の利用可能性】
【００１５】
光配線器具を一式もしくは一部、カセットに収納し、フレームにカセットを取り付けることで収納スペースを抑えることができ、増設することが確定していないキャビネットへの用途に適用できる。
【図面の簡単な説明】
【００１６】
【図１】本発明に係る光配線器具のカセットを示す説明図である。（実施例１、実施例２）
【図２】本発明に係る光配線器具のカセットをフレームに取り付けた状態を示す説明図である。（実施例１、実施例２）
【符号の説明】
【００１７】
１    アダプタ
２    トレイ
３    収納スペース
４    ケーブルクランプ
５    カセット
６    フレーム
【図１】
2006227134.tif 000003
【図２】
2006227134.tif 000004
(57)【要約】【課題】本発明は、マウス本体に複数のＵＳＢポートを設けることにより、１個のマウスで複数のＵＳＢメモリの接続を行なうことができるようにすることを目的とする。【解決手段】本発明によるＵＳＢマウス装置は、ＵＳＢマウス本体(1)に設けられたＵＳＢポート(20)からなるハブ機能部(1B)を有し、このＵＳＢポート(20)には少なくともＵＳＢメモリ(11)が着脱自在に設けられている構成である。【選択図】図１
2006227723.tif 000002
【特許請求の範囲】
【請求項１】
パソコン(30)のＵＳＢポートに接続するための接続プラグ(3)を有するケーブル(2)にＵＳＢマウス本体(1)を接続してなるＵＳＢマウス装置において、
前記ＵＳＢマウス本体(1)に設けられたＵＳＢポート(20)からなるハブ機能部(1B)を有し、前記ＵＳＢポート(20)には、少なくともＵＳＢメモリ(11)が着脱自在に設けられるように構成されていることを特徴とするＵＳＢマウス装置。
【請求項２】
前記ＵＳＢポート(20)は、前記ＵＳＢマウス本体(1)の後端側(1a)に形成されていることを特徴とする請求項１記載のＵＳＢマウス装置。
【請求項３】
前記ＵＳＢポート(20)は、複数形成されていることを特徴とする請求項１又は２記載のＵＳＢマウス装置。
【発明の詳細な説明】
【技術分野】
【０００１】
本発明は、ＵＳＢマウス装置に関し、特に、ＵＳＢマウス本体にＵＳＢポートを形成しＵＳＢハブ機能を形成していることにより、パソコン本体にＵＳＢデバイスを増設することなく、パソコンの操作性を向上させるための新規な改良に関する。
【背景技術】
【０００２】
従来、用いられていたこの種のＵＳＢマウス装置は、その構成を開示する文献名を特には示していないが、図５で示されるように構成されている。
すなわち、図５において符号１で示されるものは、ＵＳＢメモリ等を１個内蔵したＵＳＢマウス本体であり、このＵＳＢマウス本体１はケーブル２を介して接続プラグ３に接続されている。
【０００３】
従って、前述の構成のＵＳＢマウス装置１０の接続プラグ３を、図示しないパソコンのＵＳＢポートに接続し、ＵＳＢマウス装置１０としての機能を入力して操作を行なうことができる。
【発明の開示】
【発明が解決しようとする課題】
【０００４】
従来のＵＳＢマウス装置は、以上のように構成されていたため、次のような課題が存在していた。
すなわち、従来のＵＳＢマウス装置は、パソコンのＵＳＢポートと１対１で接続され、ＵＳＢポートを増設するためには、ＵＳＢハブ又はパソコンの空きＵＳＢポートを用いなければならず、パソコンにこれらを増設することは極めて困難であった。
【課題を解決するための手段】
【０００５】
本発明によるＵＳＢマウス装置は、パソコンのＵＳＢポートに接続するための接続プラグを有するケーブルにＵＳＢマウス本体を接続してなるＵＳＢマウス装置において、前記ＵＳＢマウス本体に設けられたＵＳＢポートからなるハブ機能部を有し、前記ＵＳＢポートには、少なくともＵＳＢメモリが着脱自在に設けられるようにした構成であり、また、前記ＵＳＢポートは、前記ＵＳＢマウス本体の後端側に形成されている構成であり、また、前記ＵＳＢポートは、複数形成されている構成である。
【発明の効果】
【０００６】
本発明によるＵＳＢマウス装置は、以上のように構成されているため、次のような効果を得ることができる。
すなわち、ＵＳＢマウス装置のＵＳＢマウス本体にＵＳＢポートが形成されＵＳＢハブ機能を内蔵しているため、ＵＳＢポートに装着するＵＳＢメモリ等を変更することにより、パソコン本体には、ＵＳＢデバイスを増設する必要がなく、マウスからの入力の機能を大幅に向上させることができる。
【発明を実施するための最良の形態】
【０００７】
本発明は、ＵＳＢマウス本体にＵＳＢポートを形成し、ＵＳＢハブ機能を形成していることにより、パソコン本体にＵＳＢデバイスを増設することなく、パソコンの操作性を向上させるようにしたＵＳＢマウス装置を提供することを目的とする。
【実施例】
【０００８】
以下、図面と共に本発明によるＵＳＢマウス装置の好適な実施の形態について説明する。
尚、従来例と同一又は同等部分には、同一符号を付して説明する。
図１において符号１で示されるものはＵＳＢマウス装置１０を構成するためのＵＳＢマウス本体であり、このＵＳＢマウス本体１の後端側１ａには複数のＵＳＢポート２０が形成されている。
【０００９】
前記ＵＳＢポート２０には、少なくともＵＳＢメモリ１１等を自在に挿入して着脱自在とすることができ、このＵＳＢマウス本体１はＵＳＢマウスとＵＳＢハブ機能を兼ね備えた構成となるように形成され、各ＵＳＢポート２０によりハブ機能部１Ｂを構成している。
【００１０】
前記ＵＳＢマウス本体１の先端側１ｂに接続されたケーブル２には、図示しないパソコンのＵＳＢポートに接続するための接続プラグ３が接続されている。
前記ＵＳＢマウス装置１０は、機能上は、図３に示されるように、ＵＳＢマウス本体１に対してマウス機能１Ａが含まれていると共に、汎用のＵＳＢメモリ１１が複数個装着できるように構成され、図４のパソコン３０の１個のＵＳＢポート(図示せず)に対して複数のＵＳＢポート２０を有するように機能を拡大することができる。
【００１１】
従って、本発明によるＵＳＢマウス装置をパソコン３０に接続することにより、複数のＵＳＢメモリを交換して、多機能のデータ入力操作を行なうことができる。
また、図４にも開示されているように、パソコン３０を操作する場合に、最も人間が操作しやすい範囲Ａ内にＵＳＢマウス装置１０を接続して用いることができ、従来のように、パソコン３０にＵＳＢポートを増設してＵＳＢメモリ１１を用いるような不便な形態を用いる必要がなくなる。
【産業上の利用可能性】
【００１２】
本発明は、パソコンに限らず、他の演算装置を有する各種機器の入力手段として利用することができる。
【図面の簡単な説明】
【００１３】
【図１】本発明によるＵＳＢマウス装置を示す構成図である。
【図２】図１の要部を示す構成図である。
【図３】図１の機能を示すブロック図である。
【図４】本発明をパソコンに接続した状態を示す構成図である。
【図５】従来のＵＳＢマウス装置を示す構成図である。
【符号の説明】
【００１４】
１    ＵＳＢマウス本体
２    ケーブル
３    接続プラグ
１０    ＵＳＢマウス装置
１１    ＵＳＢメモリ
２０    ＵＳＢポート
３０    パソコン
１Ｂ    ハブ機能部
【図１】
2006227723.tif 000003
【図２】
2006227723.tif 000004
【図３】
2006227723.tif 000005
【図４】
2006227723.tif 000006
【図５】
2006227723.tif 000007
(57)【要約】【課題】従来の机の上に置かれたモニターを見る目線の角度はほぼ水平からプラスマイナス１０度前後に限定される。最近画面の大きなモニターが広く使われるようになり小さなモニターに比べ首を少し上向きにして見ざるを得なかったりモニターとキーボードを交互に見るために以前より首を大きな角度で上下せざるを得ない状況になる。このような不自然な姿勢や首を中心とする局部に長い時間負担がかかると肩凝りや眼精疲労等の原因になる。  従ってこれを防止する。【解決手段】モニター画面を映すのに適度な大きさと角度をもった２枚の鏡を組み合わせ一体化したモニターアダプターを画面直前の机上に置き使用する。この実施形態によれば、モニターの映像を見る視線を約４５度前後下向きにする事が出来、自然で楽な姿勢を保つ事ができることにより肩こりや眼精疲労等の疾患を避けることが出来る。【選択図】図１
2006227551.tif 000002
【特許請求の範囲】
【請求項１】
２枚の鏡にモニターの映像を反射させ水平目線から約４０度から５０度下向きに同じ正立した映像（机の中にモニターがあるかのような映像）を映し出すことを特徴とするモニターアダプター（デスクインモニター）。
【発明の詳細な説明】
【技術分野】
【０００１】  この発明は、コンピューターモニターを見る角度を変更する装置に関するものである。
【背景技術】
【０００２】  従来コンピューターモニターは机の上に置かれており、モニターを見る目線の角度はほぼ水平からプラスマイナス１０度前後に限定される。
最近画面の大きなモニターが広く使われるようになり小さなモニターに比べ首を少し上向きにして見ざるを得なかったりモニターとキーボードを交互に見るために以前より首を大きな角度で上下せざるを得ない状況になる。
【発明の開示】
【発明が解決しようとする課題】
【０００３】  しかしながら、以上の技術によれば、状況によれば不自然な姿勢と首を中心とする局部に長い時間負担がかかるために肩凝りや眼精疲労等の原因になる。そこで、そのような疾患を避けることが出来る状況を提供することを課題とする。
【課題を解決するための手段】
【０００４】  以上の課題を解決するために、第一発明は、２枚の鏡にモニターの映像を反射させ水平目線から約４５度下向きに同じ正立した映像（机の中にモニターがあるかのような映像）を映し出すことを特徴とするモニターアダプター（デスクインモニター）である。
【発明の効果】
【０００５】  第一発明によればモニターアダプター（デスクインモニター）を設置することにより目線の角度を約４５度下向きにすることでモニターを自然で楽な姿勢で見る事ができる。  又モニターとキーボードを交互に見るために首を上下しなくてもよくなり肩こり等の疾患を避けることが出来る。
【発明を実施するための最良の形態】
【０００６】  この発明の一実施形態を、図１に示す。
不透明な枠箱１．の中に２枚の鏡を微調整が可能にして組み込み一体としモニターの画面直前の机上に置かれて使用される。
２の鏡１はモニター画面の上端から約４５度下向きに鏡面を下向きにして取り付けられる
３の鏡２はモニター画面の下端から約３０度下向きに鏡面を上向きにして取り付けられる
その結果点線で示すようにモニター画面の映像は２．鏡１により下向きに３．鏡２に向かい反射し３．鏡２に映るモニターの映像を操作者が約４０度から５０度下向きに見る事が出来る。
「実施形態の効果」【０００７】  この実施形態によれば、モニターの映像を見る視線を約４５度下向きにする事が出来、自然で楽な姿勢を保つ事ができることにより肩こりや眼精疲労等の疾患を避けることが出来る。
【図面の簡単な説明】
【０００９】
【図１】この発明の一実施形態を示す側面図である（モニターアダプターは透視図である）。不透明な箱の中に組み込まれたそれぞれの鏡は最適な視認性を確保出来るために高さと角度の微調整が出来るように設置される。
【符号の説明】
【００１０】１。モニターアダプター（デスクインモニター）        ２。鏡１
３．鏡２        ４．モニター        ５．キーボード
【図１】
2006227551.tif 000003
(57)【要約】      （修正有）【課題】写真のタイマー撮影時に用いる三脚等は現在のカメラの軽量化、小型化に比べ携帯するのに非常にかさばっていた。【解決手段】折りたたみ式でスリム・コンパクトなカメラホルダーの背後にマジックテープ（面ファスナー）の片面を設け、ホルダー固定用としてマジックテープ（面ファスナー）のもう一方の面を帯状にしたものを付属としたので、写真のタイマー撮影時にカメラ設置が容易で携帯も手軽にできる。【選択図】図２
2006227547.tif 000002
【特許請求の範囲】
【請求項１】
コンパクトに折りたため、携帯が手軽で写真のタイマー撮影時にカメラを容易に設置することを特徴とするカメラホルダー。
【請求項２】
前記のコンパクトに折りたため、携帯が手軽でカメラを容易に設置する為にホルダーの背後にマジックテープ（面ファスナー）の片面を設け、ホルダー固定用としてマジックテープ（面ファスナー）のもう一方の面を帯状にしたものを付属とした請求項１記載のカメラホルダー。
【発明の詳細な説明】
【技術分野】
【０００１】  この発明は、写真のタイマー撮影時に用いるカメラホルダーの形状に関する。
【背景技術】
【０００２】  従来の写真のタイマー撮影時にカメラを固定する為に用いるものは三脚等しかなかった。
【発明の開示】
【発明が解決しようとする課題】
【０００３】しかしながら、以上の技術によれば、三脚等は非常にかさばり、現在のカメラの軽量化、小型化が進むなかでつり合っていない。
そこで、この発明は、コンパクトに折りたため、写真のタイマー撮影時にカメラを容易に設置することのできるカメラホルダーを提供することを課題とする。
【課題を解決するための手段】
【０００４】  以上の課題を解決するために、第一発明は、コンパクトに折りたため、携帯が手軽で写真のタイマー撮影時にカメラを容易に設置することを特徴とするカメラホルダーである。
また第二発明は、コンパクトに折りたため、携帯が手軽で写真のタイマー撮影時にカメラを容易に設置する為にホルダーの背後にマジックテープ（面ファスナー）の片面を設け、ホルダー固定用としてマジックテープ（面ファスナー）のもう一方の面を帯状にしたものを付属としたことを特徴とするカメラホルダーである。
【発明の効果】
【０００５】  第一発明、または第二発明によれば、携帯が手軽な折りたたみ式で写真のタイマー撮影時にカメラを容易に設置する為にホルダーの背後にマジックテープ（面ファスナー）の片面を設け、ホルダー固定用としてマジックテープ（面ファスナー）のもう一方の面を帯状にしたものを付属としたのでコンパクトでスリムに携帯しやすく帯状の付属品を固定できる所（木の幹・枝・石・立てたスキーの板・ストック・柱・ビン等）や床、テーブルの上等に置いて設置が容易にできる。また、小型の鏡が付いているのでモニターの確認ができる。
【発明を実施するための最良の形態】
【０００６】  この発明の一実施形態を、図１・図２に示す。
カメラホルダー本体▲１▼・カメラ装着部▲２▼とも、プラスチック、アルミニュウム製等の軽量な材料を用い、カメラ固定用ネジ▲３▼（カメラ底面部の三脚穴を利用）は、カメラ装着部▲２▼の溝をスライドする。本体▲１▼の背後にマジックテープ（面ファスナー）のＡ面▲４▼を設ける。本体▲１▼・カメラ装着部▲２▼は角度の調整も可能である。（角度調整つまみ▲５▼）本体▲１▼の内側に鏡▲６▼を設ける。カメラ固定用ネジ▲３▼を利用して本体▲１▼上に設けたネジ穴▲７▼に固定し携帯できる。ホルダー固定用としてマジックテープ（面ファスナー）のＢ面を帯状にした物▲８▼を付属する。付属品の先２箇所はマジックテープ（面ファスナー）のＡ面とし、他２箇所の先は角カン▲１０▼を取り付ける。【０００７】「実施形態の効果」
この実施形態によれば、折りたたみ式でコンパクトになるので携帯しやすい。そして、写真のタイマー撮影時にカメラを容易に設置することができる。【０００８】「他の実施形態亅
【図面の簡単な説明】
【０００９】
【図１】この発明の一実施形態を示す斜視図である。
【図２】この発明の一実施形態を示す付属品の姿図である。
【符号の説明】
【００１０】▲１▼  カメラホルダー本体
▲２▼  カメラ装着部
▲３▼  カメラ固定用ネジ
▲４▼  本体▲１▼の背後（マジックテープ（面ファスナー）のＡ面）
▲５▼  角度調整つまみ
▲６▼  鏡
▲７▼  ネジ穴
▲８▼  マジックテープ（面ファスナー）のＢ面を帯状にした物
▲９▼  マジックテープ（面ファスナー）のＡ面
▲１０▼  角カン
【図１】
2006227547.tif 000003
【図２】
2006227547.tif 000004
(57)【要約】      （修正有）【課題】生徒が好きな先生、好きな項目を選択でき、自分の都合に合わせた学習スケジュールで勉強できる外国語教育システムをインタネットを利用して構築する。【解決手段】インタネットサーバ上に現在汎用に使われているＣ，ＪＡＶＡ（登録商標）等の言語とＷｅｂなどの技術を利用して、教育エンジンを搭載する。先生に向けた教育方法実現の教育設計エンジンは時間単位での教育内容設定ソフトです。生徒はインタネットで選択した先生の教育内容を参考にして、自分の都合に合わせた教育スケジュールを設定する。【選択図】図１
2006227546.tif 000002
【特許請求の範囲】
【請求項１】
インターネット上で外国語先生に教室を提供する。
【請求項２】
外国語先生に個人の教育方法を実現するエンジンを提供することより、インターネットでの外国語教育方法。
【発明の詳細な説明】
【技術分野】
【０００１】インターネットを利用して、外国語先生の個別での教育方法を実現するエンジン（以下略称「教育エンジン」）が技術のポイントです。教育エンジンは外国語教育の特徴よりＪＡＶＡやＣなどの計算機言語で構成される。
【背景技術】
【０００２】外国語教育の特徴より共通点をピックアップして、教育エンジンの基本考えとなり、ＪＡＶＡやＣなどの計算機言語でコンピュータで実現する。
【発明の開示】
該当発明は外国語先生に向けインタネット上の模擬教室を提供することです。
先生は提供する教育エンジンを通じで自分の教育方法をインタネットで実現する。これから時代は個人で起業することが多くなり、外国語先生は資金がなくでも起業することができる。
生徒達は学校に行かなくでも、自分が好きな項目、先生を選択することができ、生徒が先生の教育内容などを参照して自分でのスケジュールの設定ができる。又は生徒に便利な先生とのコミュニケーション手段を提供することより一対一の教育をインタネットで実現することができ、携帯電話も利用でき零細な時間で勉強することができる。
【発明が解決しようとする課題】
【０００３】今外国語のインタネットでの教育は色々あります。但し生徒さんは学校のような感じしていない、いわゆる一対一での教育が出来ていない。零細な時間を利用しもっと勉強することが出来ていない。該当発明はインタネットで先生に教室、自分の教育方法の実現を提供することができる。生徒さんが好きな先生、項目などを選択でき、自分での勉強スケジュールの設定ができる。先生との連絡ができ、一対一感じの教育ができる。
【課題を解決するための手段】
【０００４】ポイントは教育エンジンです。教育エンジンは以下のようにコンピュータ（インタネットサーバ）で実現する。
・  先生に向け教育方法実現の教育設計エンジン。
教育設計エンジンは時間単位での教育内容設定ソフトです。設定できる教育内容はテキスト、音声、宿題、テストなどです。
・  生徒さんに向けスケジューリングエンジン。
生徒さんはインタネットで選択した先生の教育内容を参考し、自分の都合に合わせる教育スケジュールを設定する。
・  生徒さんのスケジュールより教育内容取得エンジン
コンピュータや携帯電話で自分で設定したスケジュールにより次の勉強項目をダウンロードできる。又は先生からの情報（文書、音声ファイル）もダウンロードできる。
・  先生への連絡エンジン
生徒さんが随時に質問やテスト結果など（文書、音声形式）をインタネットサーバへ送信することより先生への連絡を実現する。
・  生徒さんへの連絡エンジン
先生が随時に自分の生徒からの質問、テスト結果、進捗状況をチェックし、指導意見（文書、音声形式）をインタネットサーバに送信することより生徒さんへの連絡を実現する。
【発明の効果】
【０００５】・  学校に行かなくでも、学校のような一対一の外国語教育ができる。
・  場所と関係なく、零細な時間を利用でき、携帯電話で外国語の勉強ができる。
・  外国語先生としてパソコン一台で起業ができる。
【発明を実施するための最良の形態】
【０００６】インタネット、携帯電話を利用して、該当発明を実施する。
【実施例】
【０００７】・  Ａ先生の教育内容を登録する。登録内容は以下の表を示す。
2006227546.tif 000003
注：Ａ先生の教育内容はトータル時間が７．５時間。
・  生徒さんはインタネットでＡ先生を選択し、自分のスケジュールを設定する。
2006227546.tif 000004
・  生徒さんは２００５／３／２から毎日自分勉強する項目をパソコンや携帯電話にダウンロードし、勉強する。
【図面の簡単な説明】
【０００８】
【図１】該当発明を示した構成図である。
【符号の説明】
【０００９】１  外国語先生のコンピュータ：
・教育内容登録
・生徒達の状況のチェック
・生徒達への連絡
２  インタネットサーバ
・先生の教育内容登録管理
・先生から生徒さんへ各連絡、教育内容情報送信
・生徒から先生へ質問、宿題など情報送信
３  パソコン
生徒さんが携帯電話で単語、文書、聞き取り（音声）の勉強
４  携帯電話
生徒さんが携帯電話で単語、文書、聞き取り（音声）の勉強
【図１】
2006227546.tif 000005
(57)【要約】      （修正有）【課題】弦楽器界において、単独演奏時に扇ピックで演奏する事により多重層の音色が可能である。【解決手段】弦楽器において、弦を抑える技術ばかりが発達してきた（余韻を出すためにずらして押したり、ビブラート効果を出すために弦を弾くと同時に抑えたり・・・）弦楽器を弾くピックの構造を根本的に変える事により、そのピック（複数枚構造）を生かした演奏方法になります。この複数枚構造ピックの登場により演奏者の技術も飛躍的に発展する。【選択図】図１
2006227548.tif 000002
【特許請求の範囲】
【請求項１】
（イ）ピックとピックを固形物又は弾性物（厚さ１ミリ〜１０図１）を間に挟んで複数枚重ねて接着。
（ロ）固形物、弾性物を加工して複数枚重ねて挟む。（図２）
（ハ）重ねる形は扇状（図３）反扇状（４）平行（図５）
【発明の詳細な説明】
【発明の詳細な説明】
【０００１】［発明の属する技術分野］
弦楽器を弾いて演奏する道具について、弦と直接ふれあう部分を複数重ねる。
【０００２】［従来の技術］
従来の弦楽器演奏時に使用するピックは一枚構造で演奏するものである。
よって二重奏、三重奏の演奏時には演奏者が２人、３人と必要である。
【０００３】［発明が解決しようとする課題］
一人の演奏者で弦楽器の二重奏、三重奏が可能になる。
【０００４】［課題を解決するための手段］
ピックとピックの間の弾性体（固形状のゴム）にした場合はピックとピックを挟む強弱の微調整が可能。固形物の場合は固定される。
【０００５】［発明の効果］
本考案を用いて演奏すると単独演奏でも多重奏が可能になる。
【図面の簡単な説明】［図１］  本考案の斜視図である。
【符号の説明】
１はピックとピックの距離
［図２］  本考案の斜視図である。
２は固形物もしくは弾性物を加工してピックが装着できるようにした物である。
［図３］  本考案の正面図である。
［図４］  本考案の正面図である。
［図５］  本考案の正面図である。
【図１】
2006227548.tif 000003
【図２】
2006227548.tif 000004
【図３】
2006227548.tif 000005
【図４】
2006227548.tif 000006
【図５】
2006227548.tif 000007
(57)【要約】【課題】他人の杖や傘と自分の杖や傘とを瞬時に見分けることができるようにすること。【解決手段】環状のゴムと、このゴムに取り付けた飾りと、この飾りに設けた氏名を書く欄とを備えた。【選択図】図４
2006227549.tif 000002
【特許請求の範囲】
【請求項１】
環状のゴムと、このゴムに取り付けた飾りと、この飾りに設けた氏名等の記入欄とを備えたことを特徴とする持ち主表示具。
【発明の詳細な説明】
【技術分野】
【０００１】  本発明は、持ち主表示具に係り、特に、杖や傘の持ち主表示具に関する。
【背景技術】
【０００２】  従来、杖や傘のもち手に飾りをつけるアイデアはなかった。そのため、他人の杖や傘と似ていると、自分の杖や傘と見分けがつきにくかった。なお出願人は、この技術に関する公知文献を知らない。
【発明の開示】
【発明が解決しようとする課題】
【０００３】  本発明は、かかる従来例の有する不都合を改善し、特に、他人の傘や杖を区別することのできる持ち主表示具を提供することを、その課題とする。
【課題を解決するための手段】
【０００４】上記課題を解決するため、本発明では、環状のゴムと、このゴムに取り付けた飾りと、この飾りに設けた氏名等の記入欄とを備えたことを特徴とする持ち主表示具を提供する。
上記の使い方として、杖や傘のもち手に飾りをつける。さらにその飾りに名前などを記入できる。
【発明の効果】
【０００５】これによると、環状のゴムのついた飾りを付けることによって、他人の杖や傘と自分の杖や傘とを瞬時に見分けることができるという従来にない優れた持ち主表示具を提供することができる。
【発明を実施するための最良の形態】
【０００６】＜１、発明品の構成＞
以下、本発明の一実施形態を図面を参照しつつ説明する。
飾りの裏側についている穴にゴムを通し、２つの飾りつきゴムにする。すると、図１のようになる。裏側の拡大図は図３でわかる。飾りの大きさは、杖や傘のもち手と同じくらいか、もち手より小さいほうが邪魔にならなくて良い。飾りの大きさは２〜４ｃｍくらいが望ましい。本発明では花を例にとってあるが、花に限らず、りんごでもイチゴなどのような果物でも良いし、ハートでも良いし、キティちゃんなどのマスコットでも良い。
また、ゴムは女性が頭に付けるようなゴムで、長さは５ｃｍくらいが望ましい。色は杖や傘と同色でも良いし、別の色でも良い。
さらに飾りには、図２のように名前などを付けられる欄を設ける。名前などを書く欄３は縦０．５ｃｍ横１．５ｃｍくらいが望ましい。名前などを書く欄はシールに書いてから、貼り付けても良い。【０００７】＜２、使い方＞
杖や傘の柄の部分にゴムを巻きつけて、一方の飾りをもう一方の飾りに引っ掛ける。飾りはゴムがついているので杖や傘のもち手の好きなところに付けられる。【０００８】＜３、実地形態の効果＞
以上説明した本実施形態によれば、他人の杖や傘と自分の杖や傘とを瞬時に見分けることができるという、従来にない優れた効果がある。
【図面の簡単な説明】
【０００９】
【図１】飾りのついているゴムを正面から見た図。
【図２】飾りの正面図。
【図３】飾りを斜めから見た背面図
【図４】飾りを杖に取り付けた図
【図５】飾りを傘に貼り付けた図。
【符号の説明】
【００１０】１、飾り
２、ゴム
３、氏名などを書く欄
４、杖
５、傘
【図１】
2006227549.tif 000003
【図２】
2006227549.tif 000004
【図３】
2006227549.tif 000005
【図４】
2006227549.tif 000006
【図５】
2006227549.tif 000007
(57)【要約】【課題】従来の電話機の使用目的は発信側が受信側との意思の疎通をはかるためにだけであった。したがって、発信側が発信しようとしなければ発信されなかった。検知器を利用して自動的に発信できるようにした。【解決手段】人を感知する検知器（１）を電話機（２）に取り付け、人を感知した場合に自動的に発信する電話機にした。【選択図】図１
2006246414.tif 000002
【特許請求の範囲】
【請求項１】
電話機に人を感知する検知器を付けて、人を検知すると自動的に発信する電話機及び携帯用電話機
【発明の詳細な説明】
【発明の詳細な説明】
この発明は電話機に人を感知する検知器を付けたもので人がこの電話機に近づいて感知されると自動的に発信する電話機である。
従来、電話機は発信する側が受信する側に何らかの意思や存在を伝えるためのものである。
しかし、発信する側が次の場合、発信することがない。
場合１    発信する意思がない。
場合２    発信する能力がない。（幼児など）
場合３    発信する能力がない状態に陥った。（発作など）
場合４    この電話が存在する場所の近くにいることを誰にも知られたくない。（不審者など）
以上の場合２から４の場合で受信側から見て発信してもらいたい状況であっても発信されなかった。
本発明は、いわゆる警報機ではなく、発信側を驚かすことなく、静かに受信側に、この電話機が置かれている場所に人が近づいたことを知らせることが出来る。
【図面の簡単な説明】
【図１】本発明の正面図である。
【符号の説明】
１は人を感知する検知器、２は電話機
【図１】
2006246414.tif 000003
(57)【要約】      （修正有）【課題】イヤホンの近傍にマイクを配しハウリングを押さえた構成で、衣擦れを無くし自然性を高めた箱形の補聴器を提供する。【解決手段】マイクとイヤホンの中心軸を非同軸的に配し相互間の距離は１ｃｍ程度あればよく、イヤホンとの接続がマイクと端子ピンを備えた共通コードで容易に脱着可能な構造の音変換器を有する箱形補聴器。【選択図】図３
2006246415.tif 000002
【特許請求の範囲】
【請求項１】
マイクロホン及びマイクロホンコードとイヤホンへ繋ぐ端子ピンを備えたイヤホンコードを共有する共通コードで本体と接続して使用する音響変換器であって、マイクロホンの中心軸とイヤホンの中心軸とを非同軸的に配置し、かつイヤホンがイヤホンコードと容易に脱着可能であることを特徴とする補聴器の音響変換器の構造。
【発明の詳細な説明】
【技術分野】
【０００１】  この発明は補聴器とくに箱形補聴器の構造にかかる。
【背景技術】
【０００２】  補聴器は外部音を増幅して音出力として利用するものであるから、外部音を取り込むマイクロホンと音を出力するイヤホンが必要である。従来の箱形補聴器は本体を小型の箱としてその中にマイクロホン、増幅器などを収容し、イヤホンはコードを介して使用者の耳に装着する。本体は使用者の胸部ポケットなどに収容する。
【発明の開示】
【発明が解決しようとする課題】
【０００３】  従来の箱形補聴器の課題は
マイクロホンが本体内にあるので本体から出る衣摺れ音を強力に拾うこと及びマイクロホンの位置が使用者の耳位置から離れるために入力する音情報が不自然になることである。
そこでこれらの問題を解消するためマイクロホンを本体から分離し、マイクロホン及び。マイクロホンコードをイヤホンコード内に納め共通のコードとした従来の構成を図１、図２にしめす。
図１はイヤホン１とマイクロホン２とが別体になっており、図２のものは一体に構成されている。マイクロホン２は耳介にできるだけ近い位置にある方が補聴器の聞こえの自然さが高い。しかるにイヤホン１とマイクロホン２を接近させるとイヤホンから出力する音とイヤホンの振動がマイクロホンへフイードバックしてハウリングが発生する。これは補聴器にとってきわめて重大な欠点となり増幅度を大きくしなければならない中等度以上の難聴者用補聴器には使用できなかった。またイヤホン１とマイクロホン２を一体構成し共通コードで接続すると、高価な音響変換器になってしまう。
【課題を解決するための手段】
【０００４】  マイクロホンとイヤホンを共通のコードで本体と接続して使用する音響変換器を、マイクロホンの中心軸とイヤホンの中心軸とを非同軸的に配置する。
従来の一体型の場合、マイクロホンの中心軸とイヤホンの中心軸を同軸におくことが普通であった。これは製造の容易さからきたものである。しかしこの構造はイヤホンとマイクロホンが背中会わせの構成となるためイヤホンの振動が直接マイクロホンを震動させ著しくハウリングを発生しやすいことが解った。
そこで本発明の第１の要点として両者の中心軸を非同軸的に構成する。
イヤホンとマイクロホンを若干変移させるのである。その軸間距離は１ｃｍ程度あればよい。
第２の要点として独立したイヤホンとイヤホンへ接続する端子ピンとマイクロホンを備えた接続コードに分割できる図３、図４に示す構造とした。
【発明の効果】
【０００５】  イヤホン１とマイクロホン２を接近させるとハウリングが発生するが、両者が同軸的関係位置にないのでその発生が極小におさえられる。これは補聴器にとって極めて重大な欠点が補われたことになる。またイヤホン位置近く（すなわち使用者の耳穴近く）にマイクロホンを保持できるため聞こえの自然性が高まり、補聴器本体からだす衣擦れ雑音は無い。
イヤホン部とマイクロホン部の二つに分けイヤホンへ接続できるＪＩＳ規格の端子ピンを備えたマイクロホ付きコードとイヤホンとの構成とすることにより、ＪＩＳ規格に適合している各種特性のイヤホンとの組み合わせができる。イヤホンが故障したとき、本構造ではイヤホンのみの交換が容易であるため使用者にとって大きな利益となる。
【発明を実施するための最良の形態】
【０００６】  マイクロホン１とイヤホン２の中心軸を非同軸的に構成する。つまりマイクロホン１とイヤホン２を若干変移させる。その軸間距離は１ｃｍ程度あればよい。
またイヤホンとの接続は共通コードに備える端子ピンで容易に脱着可能であるような構造とする。
具体的にはイヤホンとの接続部の端子はＪＩＳ  ５５１２補聴器に規定するイヤホンコードのプラグを備えればよい。
この実施例を図３，図４に示す。図においてイヤホン１のジャック１ｂにマイクロホン２を包含するケース５に取付けたプラグ１ａを差し込んで着脱自在に接合できる。図４はイヤホン１とケース５を離脱させたときの図である。
【図面の簡単な説明】
【０００７】
【図１】従来の音響変換器の斜視図
【図２】従来の音響変換器の斜視図
【図３】本発明の実施例の斜視図
【図４】イヤホン１とケース５を離脱させたときの斜視図
【０００８】１………イヤホン
２………マイクロホン
３………コード
５………ケース
１ａ………プラグ
１ｂ………ジャック
【図１】
2006246415.tif 000003
【図２】
2006246415.tif 000004
【図３】
2006246415.tif 000005
【図４】
2006246415.tif 000006
(57)【要約】【課題】  従来の携帯電話等における文字入力は、目的の文字を選択するために同じボタンを複数回押下する必要があり、素早く入力できない。キーボードでは机が必要である。【解決手段】  文字を入力する場合、携帯電話等のボタンを１度押下してから、ダイアル等を回すことで目的の文字を選択する両手で使用するシステムで、よく使う文字や母音の文字キーがある、携帯電話等から接続する入力装置。【選択図】  図１
2006246417.tif 000002
【特許請求の範囲】
【請求項１】
起立したままでも使え、両手で使用することを特徴とする携帯電話等の文字等の入力装置、システム。
【請求項２】
前記入力装置は、携帯電話等に接続し、よく使う文字や母音のキー郡等、ダイヤル等、スライドバー等が１種類、または数種類ある、携帯電話等の入力ボタン等を補佐、または代替することを特徴とする、携帯電話等の文字等の入力装置。
【請求項３】
請求項１のシステムは、携帯電話等で文字を入力する場合、携帯電話等のボタンを１度押下してから、請求項２の入力装置のダイアル等を回すことで目的の文字を選択すること等を特徴とするシステム。
【発明の詳細な説明】
【技術分野】
【０００１】  この発明は、携帯電話等の文字等の入力に関する
【背景技術】
【０００２】  従来の携帯電話等における文字入力は、目的の文字を選択するために同じボタンを複数回押下する。あるいはキーボード等で入力する。
【発明の開示】
【発明が解決しようとする課題】
【０００３】  しかしながら、以上の技術によれば、携帯電話等で同じボタンを複数回押下するのは時間、手間がかかった。キーボードでは机が必要だった。
そこでこの発明は、起立したままでも、素早く文字等の入力できる携帯電話等の入力装置、システムを提供することを課題とする。
【課題を解決するための手段】
【０００４】    以上の課題を解決するために、第一発明は、起立したままでも使え、両手で使用することを特徴とする携帯電話等の文字等の入力装置、システムである。
また、第二発明は、携帯電話等に接続し、よく使う文字や母音のキー郡等、ダイヤル等、スライドバー等が１種類、または数種類ある、携帯電話等の入力ボタン等を補佐、または代替することを特徴とする、携帯電話等の文字等の入力装置である。
また、第三発明は、携帯電話等で文字を入力する場合、携帯電話等のボタンを１度押下してから、請求項２の入力装置のダイアル等を回すことで目的の文字を選択すること等を特徴とするシステムである。
【発明の効果】
【０００５】  第１発明、または第２発明、または第３発明によれば、２、３アクション以内で素早く文字を選択、決定でき、両手で操作するので、素早い入力が可能となる。小型なので起立したままでも使用可能である。
【発明を実施するための最良の形態】
【０００６】  この発明の一実施形態を、図１に示す。
【実施例】
【０００７】  この実施形態によれば入力装置は手の中に納まり、主に親指で操作できる。コードはリール状に巻き取られ、使用しないときは装置に収まる。ダイアルはアナログ感覚で操作でき、熟練するほど素早く入力出来る。
【図面の簡単な説明】
【０００８】
【図１】  この発明の一実施形態を示す図である。
【符号の説明】
【０００９】  １入力装置本体    ２文字キー    ３ダイアル    ４コード
【図１】
2006246417.tif 000003
(57)【要約】【課題】先端部が歯肉や口腔内粘膜に触れた際に患者に痛みなどの苦痛を与えるおそれがなく、しかも吸引チップの全体強度を確保して、吸引操作や吸引ホースへの装着作業などを容易に行える歯科治療用吸引チップを提供する。【解決手段】歯科治療用吸引チップ１は全体としては円筒状であり、円筒の先端部が斜めに切断され、後端部が垂直に切断されて後端開口部３と先端開口部４が形成されている。そして、患者の歯肉や口腔粘膜に触れる先端部２ａが軟質のシリコーンゴムで形成され、この先端部２ａに続く円筒基部２ｂが硬質のシリコーンゴムで形成されている。先端部２ａを形成している軟質のシリコーンゴムは、ゲル状態のシリコーンゴム（針入度８０−９０）であることが好ましい。【選択図】  図１
2006246916.tif 000002
【特許請求の範囲】
【請求項１】
シリコーンゴムを素材とした円筒よりなり、円筒の先端部が軟質のシリコーンゴムで形成され、円筒基部が硬質のシリコーンゴムで形成されてなることを特徴とする歯科治療用吸引チップ。
【請求項２】
前記軟質のシリコーンゴムは、ゲル状態のシリコーンゴムであることを特徴とする請求項１に記載の歯科治療用吸引チップ。
【請求項３】
前記軟質のシリコーンゴムに香料が添加されていることを特徴とする請求項１又は請求項２に記載の歯科治療用吸引チップ。
【発明の詳細な説明】
【技術分野】
【０００１】
本発明は、バキューム装置の吸引ホースの先端に着脱自在に装着される歯科治療用吸引チップに関する。
【背景技術】
【０００２】
歯科治療において、患者の口腔内の唾液などを吸引して口腔外に排出するために、バキューム装置が用いられている。バキューム装置の吸引ホースの先端には、シリコーンゴム製の円筒形状をした吸引チップが装着され、吸引ホースの先端が直接歯肉や口腔内粘膜に触れないようにしている。
【特許文献１】特開２００５−１３３９４号公報
【特許文献２】特開２００４−３２１７１０号公報
【特許文献３】実開昭５８−１２４１１７号公報
【特許文献４】実開平６−３６６１６号公報
【発明の開示】
【発明が解決しようとする課題】
【０００３】
しかしながら、従来の歯科治療用吸引チップは、シリコーンゴムのようなゴム材料で形成されてはいるが、それでもその先端部が歯肉や口腔内粘膜に触れた際に患者に違和感や痛みなどの苦痛を与えることがあった。
【０００４】
そこで、歯科治療用吸引チップの材料として軟質のシリコーンゴムを用いることが考えられるが、吸引チップの全体強度が低下して変形が生じやすくなり、吸引操作や吸引ホースへの装着作業などが困難になるという問題があった。
【課題を解決するための手段】
【０００５】
本発明の歯科治療用吸引チップは上述した課題に鑑みてなされたものであり、シリコーンゴムを素材とした円筒よりなり、円筒の先端部が軟質のシリコーンゴムで形成され、円筒基部が硬質のシリコーンゴムで形成されてなることを特徴とするものである。
【発明の効果】
【０００６】
本発明の歯科治療用吸引チップによれば、先端部が歯肉や口腔内粘膜に触れた際に患者に痛みなどの苦痛を与えるおそれがなく、しかも吸引チップの全体強度を確保して、吸引操作や吸引ホースへの装着作業などを容易に行える。
【０００７】
また、歯科治療用吸引チップの先端部を形成している軟質のシリコーンゴムに香料が添加されているので、先端部が患者の歯肉や口腔内粘膜に触れた際に、そこから香りが広がり、患者をリラックスさせることができる。
【発明を実施するための最良の形態】
【０００８】
以下で、本発明の第１の実施形態による歯科治療用吸引チップを図１及び図２を参照しながら説明する。図１はこの歯科治療用吸引チップ１の斜視図、図２はその長手方向に沿った断面図である。
【０００９】
歯科治療用吸引チップ１は全体としては円筒状であり、円筒の先端部が斜めに切断され、後端部が垂直に切断されて、後端開口部３と先端開口部４が形成されている。そして、患者の歯肉や口腔粘膜に触れる先端部２ａが軟質のシリコーンゴムで形成され、この先端部２ａに続く残りの円筒基部２ｂが硬質のシリコーンゴムで形成されている。先端部２ａを形成している軟質のシリコーンゴムは、ゲル状態（ゼリー状）のシリコーンゴム（針入度８０−９０）であることが好ましい。
【００１０】
本発明によれば先端部２ａを軟質のシリコーンゴムで形成したので、先端部２ａが歯肉や口腔内粘膜に触れた際に患者に痛みなどの苦痛を与えるおそれがない。また、バキューム装置の吸引ホースは後端開口部３から歯科治療用吸引チップ１の長さの途中まで挿入されることになるが、吸引ホースが挿入される円筒基部２ｂは硬質のシリコーンゴムで形成されているので十分な強度があり、歯科治療用吸引チップ１の装着作業を容易に行うことができる。
【００１１】
また、先端部２ａを形成している軟質のシリコーンゴムに香料を添加することにより、先端部２ａが患者の歯肉や口腔内粘膜に触れた際に、そこから香りが広がり、患者をリラックスさせることができる。香料の種類としては、例えばミント香料や、子供向けにはイチゴ香料、バナナ香料などがあり、患者の好みにより適宜選択することができる。
【００１２】
なお、歯科治療用吸引チップ１を加熱消毒する場合には香料の一部が飛んで、香りが薄くなることがあるので、加熱消毒後に香料スプレーを歯科治療用吸引チップ１に吹き付けて使用することでもよい。この歯科治療用吸引チップ１の長さは４０−５０ｍｍ程度であるが、先端部２ａの長さＬは５ｍｍ程度であることが実用上好ましい。
【００１３】
次に、本発明の第２の実施形態による歯科治療用吸引チップを図３及び図４を参照しながら説明する。図３はこの歯科治療用吸引チップ１１の斜視図、図４はその長手方向に沿った断面図である。
【００１４】
この歯科治療用吸引チップ１１も円筒状のチューブであり、後端開口部１３と先端開口部１４が形成されている。そして、患者の歯肉や口腔粘膜に触れる先端部１２ａが軟質のシリコーンゴムで形成され、この先端部１２ａを除いた円筒基部１２ｂが硬質のシリコーンゴムで形成されている。
【００１５】
この歯科治療用吸引チップ１１が第１の実施形態のものと異なる点は、先端開口部１４の縁から舌状に伸びる延伸部１５が形成されている点である。この延伸部１５が主として患者の歯肉や口腔粘膜に触れるので、この延伸部１５を含む先端部１２ａが軟質のシリコーンゴムで形成されている。
【図面の簡単な説明】
【００１６】
【図１】本発明の第１の実施形態による歯科治療用吸引チップの斜視図である。
【図２】本発明の第１の実施形態による歯科治療用吸引チップの長手方向に沿った断面図である。
【図３】本発明の第２の実施形態による歯科治療用吸引チップの斜視図である。
【図４】本発明の第２の実施形態による歯科治療用吸引チップの長手方向に沿った断面図である。
【符号の説明】
【００１７】
２ａ  先端部        ２ｂ  円筒基部      ３  後端開口部      ４  先端開口部
１２ａ  先端部      １２ｂ  円筒基部    １３  後端開口部    １４  先端開口部  
１５  延伸部
【図１】
2006246916.tif 000003
【図２】
2006246916.tif 000004
【図３】
2006246916.tif 000005
【図４】
2006246916.tif 000006
(57)【要約】【課題】  Ｌ型の板に釣竿受け部を設け、底面に粘着剤を有する釣竿受け用器具を使用することで釣竿の損傷を防止可能とする。【解決手段】  縦部に釣竿受け部５をもつＬ型の板（本体）２であって、本体２の底面に粘着剤４を有することにより、釣竿受け器具１を固定し、釣竿６の移動を防止することを特徴とする。【選択図】          図１
2006246826.tif 000002
【特許請求の範囲】
【請求項１】
Ｌ型の板の縦部に切り欠き部を設け、釣竿受け部とした魚釣り用器具であって、底面に粘着剤を有することを特徴とする釣竿受け器具。
【請求項２】
上記器具の底面と粘着剤の間にクッション材を有することを特徴とする釣竿受け器具。
【請求項３】
上記の器具に使用している粘着剤は、水で洗える粘着剤とすることを特徴とする釣竿受け器具。
【発明の詳細な説明】
【技術分野】
【０００１】
本発明は、魚釣り時に、置いた釣竿の移動を阻止する釣竿受け用の器具に関するものである。
【背景技術】
【０００２】
従来、魚釣りは、防波堤や岩場、ボートや船で魚を釣っているが、その場において、釣竿を置くことが多いが、釣竿の移動を防止する簡単な器具がなかった。
【発明の開示】
【発明が解決しようとする課題】
【０００３】
そのため、防波堤の犬走りに釣竿を立てかけたり、岩の上に直に置いたり、ボートや船の縁に釣竿を置いているだけだった。
【０００４】
上記のような状態であるため、風や人の接触、魚の引きなどにより、釣竿が移動して釣竿に傷が付いたり、折れたりしていた。
【課題を解決するための手段】
【０００５】
上記の問題を解決するために下記のような器具とした。
【０００６】
Ｌ型の板の縦部に、切り欠き部を設け、釣竿受け部５とした釣竿受け器具２（本体）であって、その底面に粘着剤４を有する釣竿受け器具とする。
【０００７】
又、粘着剤の層が薄い場合、凹凸のあるコンクリートや岩に接着し難いため、器具の底面と粘着剤の間にクッション材３を入れる。
【０００８】
上記器具の底面の粘着剤４は、幾度でも使用できるように水で洗える粘着剤とする。
【発明の効果】
【０００９】
上記の釣竿受け器具を使用することにより、釣竿の際に、消波ブロックや岩場、ボート、船等での魚釣り時に、釣竿が移動して、釣竿に傷が付いたり、折れるのを防ぐことができる。
【発明を実施するための最良の形態】
【００１０】
以上、本発明の実施の形態について説明する。
【００１１】
図１に示す釣竿受け器具１は、縦部に切り欠き部を設け、釣竿受け部５とするＬ型の板（本体）で、底面に粘着剤４を有する。又、凹凸がある消波ブロックや岩には粘着剤の層が薄いと固定が弱くなるため本体の底面と粘着剤の間にクッション材の層を有することにより、より強く固定することができる。
【００１２】
上記粘着剤は、水で洗える粘着剤とする。通常使用されている粘着剤は、数回使用すると、砂や汚れのため粘着力が低下し、使用不能となる。そのため、水で洗って砂や汚れを落とし乾燥すれば元の粘着力が再現し、幾度でも使用できる水で洗える粘着剤を使用する。
【００１３】
上記釣竿は、折りたたみ式とすることで収納しやすくなる。
【実施例】
【００１４】
図５、図６は、本発明の実施例である。
図５は、防波堤の犬走りの上に釣竿受け器具を固定し、釣竿を置いた図である。
図６は、消波ブロック（テトラポット）上に釣竿受け器具を固定して、釣竿を置いた図である。
以上のように釣竿を置きたい場所に、釣竿受け器具を固定することにより、風や、人の接触、魚の引き等外部からの力によって釣竿が移動して傷付けたり、折れたりすることを防止する。
【産業上の利用可能性】
【００１５】
上記の釣竿受け器具は、小型で携帯しやすく、しかも簡単に脱着できるので、使用したい場所に容易に設置できるので釣行の際、釣竿の損傷を気にせずに楽しい釣りを可能とする。
【図面の簡単な説明】
【００１６】
【図１】斜視図
【図２】釣竿受け器具の本体の側面図
【図３】本体の底面に粘着剤を有した側面図
【図４】本体の底面と粘着剤の間にクッション材を有した側面図
【図５】防波堤の犬走りに釣竿受け器具を固定し、釣竿を置いた図
【図６】消波ブロック上に釣竿受け器具を固定し、釣竿を置いた図
【符号の説明】
【００１７】
１    釣竿受け器具
２    本体
３    クッション材
４    粘着剤
５    釣竿受け部
６    釣竿
７    防波堤の犬走り
８    消波ブロック
【図１】
2006246826.tif 000003
【図２】
2006246826.tif 000004
【図３】
2006246826.tif 000005
【図４】
2006246826.tif 000006
【図５】
2006246826.tif 000007
【図６】
2006246826.tif 000008